(57)【特許請求の範囲】
【請求項１】
色づけをした樹脂で一体形成した矩形形状の樹脂製足場マットであり、
矩形板状の格子を有し、
前記格子の複数の交点部の両面側に、円形突起を格子表面より突出して設けたことを特徴とする樹脂製足場マット。
【請求項２】
前記樹脂製足場マットは、端部に接続部を有し、樹脂製足場マット同士を連結して使用可能であることを特徴とする請求項１に記載の樹脂製足場マット。
【発明の詳細な説明】
【０００１】
【発明の属する技術分野】
この発明は、鉄筋コンクリート躯体を構築するときに鉄筋の上に載置して、コンクリート打設作業時や通路等として用いる樹脂製足場マットに関する。
【０００２】
【従来の技術】
スラブに鉄筋を配筋後、スラブ鉄筋上を直接作業者が歩行するとスペーサーを転倒させて鉄筋を荒らしたり、鉄筋に足を引っかけて転倒する危険性があるので直接スラブ鉄筋上を作業者が歩行することは問題がある。
【０００３】
そのため従来では、例えば幅が０．３メートル×４メートルの鋼製または木製の足場板を敷設することで通路を確保していたが、この足場板では重量が重く作業性が悪く、また平板な材料のため配筋の荒れやスペーサーの転倒など真下の配筋の様子が分からなかった。
【０００４】
【発明が解決しようとする課題】
そこで、作業の進行に合わせ軽く移動が容易で真下が見える金網製のマットで、大きさが０．５メートル×２メートルで、網目の大きさが０．１メートル×０．０５メートルのものが使用され始めた。この金網製のマットは、薄暗い工事現場においては、スラブ鉄筋と見分けにくいといった問題が生じた。また、どこに、金網製のマットによる通路があるのか一目でわかるようにしなければならなくなった。そのため、金網製のマットに塗装をして使用しているが、その塗装作業が非常に困難であるにもかかわらず、スラブ鉄筋とこすれると塗装がすぐにはげてしまい、使用中に鉄筋との見分けが付きにくくなり再塗装しなければならないといった問題が生じた。
【０００５】
また、金網製のマットに所有者のユーザー名がペンキ等で付されるが、ユーザー名を別途に付すことは面倒であり、使用によってペンキが落ちてしまう等の問題がある。
【０００６】
この発明は、かかる実情に鑑みてなされたもので、製品自体に色づけをして一目でわかるようにして、薄暗い工事現場の中でも遠くから見て一目で設置位置がわかるような色の付いた樹脂製足場マットを提供することを目的とし、また樹脂とした場合でもスラブ鉄筋との間で滑ることを簡単な構成で防止することが可能な樹脂製足場マットを提供することを目的としている。
【０００７】
【課題を解決するための手段】
前記課題を解決し、かつ目的を達成するために、この発明は、以下のように構成した。
【０００８】
請求項１に記載の発明は、『色づけをした樹脂で一体形成した矩形形状の樹脂製足場マットであり、矩形板状の格子を有し、前記格子の複数の交点部の両面側に、円形突起を格子表面より突出して設けたことを特徴とする樹脂製足場マット。』である。
【０００９】
この請求項１に記載の発明によれば、原材料自体に色づけをして一目でわかるようにしたから、鉄筋と擦れて摩耗しても薄暗い工事現場の中でも遠くから見て一目で設置位置がわかる。
【００１０】
また、塗装、再塗装作業等の省力化が可能で、また、樹脂を用いたので使用後は溶かして再使用が可能となるので、産業廃棄物にならなく地球環境にやさしい。
【００１１】
また、矩形板状の格子の複数の交点部の両面側に円形突起を、格子表面より突出して設けたから、樹脂とした場合でも円形突起がスラブ鉄筋に引っかかり、スラブ鉄筋との間で滑ることを簡単な構成で防止することができる。
【００２０】
請求項２に記載の発明は、『前記樹脂製足場マットは、端部に接続部を有し、樹脂製足場マット同士を連結して使用可能であることを特徴とする請求項１に記載の樹脂製足場マット。』である。
【００２１】
この請求項２に記載の発明によれば、樹脂製足場マット同士を連結し、工事現場などの状況に応じて接続して使用が可能であり、また分離して運搬、保管ができ、使用に便利である。
【００２２】
【発明の実施の形態】
以下、この発明の樹脂製足場マットの実施の形態を、図面に基づいて説明する。図１は樹脂製足場マットの平面図、図２は樹脂製足場マットの底面図、図３は樹脂製足場マットの長手方向の側面図、図４は樹脂製足場マットの幅方向の側面図、図５は接続側の平面拡大図、図６は非接続側の平面拡大図、図７は接続側の底面拡大図、図８は非接続側の底面拡大図、図９は接続側の幅方向側面拡大図、図１０は非接続側の幅方向側面拡大図、図１１は図５のＡ−Ａ線に沿う断面図、図１２は図６のＢ−Ｂ線に沿う断面図、図１３は図６のＣ−Ｃ線に沿う断面図、図１４は図５のＤ−Ｄ線に沿う断面図、図１５は図５のＥ−Ｅ線に沿う断面図、図１６は図５のＧ−Ｇ線に沿う断面図、図１７は図５のＨ−Ｈ線に沿う断面、図１８は図５のＫ−Ｋ線に沿う断面図、図１９は図５のＬ−Ｌ線に沿う断面図、図２０は図５のＭ−Ｍ線に沿う断面図、図２１は図５のＮ−Ｎ線に沿う断面図、図２２は格子の拡大図、図２３は樹脂製足場マット同士を連結した状態を示す図、図２４は樹脂製足場マットの使用状態を示す図である。
【００２３】
この実施の形態の矩形形状の樹脂製足場マット１は、色づけをした樹脂で一体形成され、矩形枠２と矩形板状の格子３とを有している。樹脂製足場マット１は、樹脂であれば顔料の配分でどんな色にも製作可能であり、樹脂としてはポリプロピレン、ポリエチレン、ポリカーボネートなどが好ましく適用可能である。
【００２４】
このように、樹脂製足場マット１は、製品自体に色づけをして一目でわかるようにしたから、薄暗い工事現場の中でも遠くから見て一目で設置位置がわかる。
【００２５】
また、塗装、再塗装作業等の省力化が可能で、また地球環境を考慮してリサイクル可能で産業廃棄物にならない。
【００２６】
この樹脂製足場マット１は、強度及び使用の面から、形状として外形は矩形形状の矩形枠２とし、この内部を縦横格子３ａ，３ｂと斜め格子３ｃ，３ｄの板状の格子３を層状としている。この矩形枠２には、軽量化のために開口２ｘが形成され、中央の縦格子３ａにも軽量化のために開口３ｘが形成されている。
【００２７】
縦横格子３ａ，３ｂの大きさは、例えば最大で０．２×０．１５メートル、最小は０．０５×０．０１５メートルとして作業者が樹脂製足場マット１上にのった際に、樹脂製足場マット１のどの部分にのっても、靴の一部が必ず縦横格子３ａ，３ｂのどこかに掛かるように配置している。
【００２８】
また、斜め格子３ｃ，３ｄは、図２２に示すように、網目３ｅはバイブレーター５０が挿入できる大きさ、例えば０．０９×０．０５５メートルとしている。
したがって、コンクリート打設に使用する場合は、バイブレーター５０の先端が網目３ｅから挿入でき、この網目３ｅが沢山開いていることで作業し易い。
【００２９】
また、斜め格子３ｃ，３ｄが連続する部分で、縦格子３ａ若しくは横格子３ｂとの交点部３ｆを、図１７に示すように円柱状にし、このように円柱状にすることで、格子間の接続耐力の向上を図ることができる。
【００３０】
この樹脂製足場マット１では、安全性の確保に関して、滑りを防止する必要があり、この滑りとして考えられることは、樹脂製足場マット１とスラブ鉄筋との滑りと、樹脂製足場マット１と靴との滑りの両方がある。
【００３１】
まず、樹脂製足場マット１とスラブ鉄筋との滑りを防止するメカニズムであるが、樹脂製足場マット１の置き方には次のような場合が考えられる。
【００３２】
図２４に示すように、スラブの上端筋５１と樹脂製足場マット１の長手方向が平行な場合（図２４（ａ））、スラブの上端筋５１と樹脂製足場マット１の長手方向が直交する場合（図２４（ｂ））、樹脂製足場マット１が上端筋５１に対して斜めに置かれた場合（図２４（ｃ））がある。
【００３３】
この樹脂製足場マット１では、スラブ鉄筋との滑りを防止するための突起として、縦横格子３ａ，３ｂ若しくは斜め格子３ｃ，３ｄのある短い区間に平面突起３ｇを設け、この平面突起３ｇは樹脂製足場マット１の幅方向、長さ方向、斜め方向に対して位置を変えて断続的に配置し、少なくとも、その幅方向には、長手方向のどこかの横格子３ａのどこかの位置を採れば連続するように配置する。
【００３４】
また、斜め格子３ｃ，３ｄが連続する部分で、縦格子３ａ若しくは横格子３ｂとの交点部３ｆには、図１６及び図１７に示すように、円柱状の接続部に円形突起３ｈを設けている。
【００３５】
図２４（ａ）に示すように、上端筋５１と樹脂製足場マット１の長手方向が平行な場合は、各格子に設けた幅の狭い短い区間の平面突起３ｇが鉄筋の節と節との間に嵌まり込み樹脂製足場マット１が移動しなくなることで、滑りを防止する。
【００３６】
図２４（ｂ）に示すように、上端筋５１と樹脂製足場マット１の長手方向が直行する場合は、鉄筋自体のリブや節に各格子上に設けた幅の狭い短い区間の平面突起３ｇや格子と格子の交点の円形突起３ｈに当たり横に移動しなくなることで、滑りを防止する。
【００３７】
図２４（ｃ）に示すように、スラブの鉄筋に対して樹脂製足場マット１が斜めに置かれた場合に関しては、上に述べた平面突起３ｇや円形突起３ｈの各突起が同様に働くことで、滑りを防止する。
【００３８】
次に、樹脂製足場マット１と靴との滑りに関しては、前記した断続的な平面突起３ｇの他に、斜め格子３ｃ，３ｄの交点部３ｆや縦横格子３ａ，３ｂの交点部３ｆに、例えば直径３ミリの小さな突起３ｉを多数設けることによって、さらに滑らないようにしている。
【００３９】
これらの平面突起３ｇや円形突起３ｈおよび交点部突起３ｉの高さは、スラブ鉄筋に突起が当たってマットが滑らない高さで、なおかつ、作業者が歩行時に躓かない高さ、すなわち４ミリメートル以下で１．０ミリメートル以上に設計した、より好ましくは２．５から１．５ミリメートルがよい。また、樹脂製足場マット１は使用上、表裏関係なく使用するので、表裏両面に同一の突起を設けたほうがよい。
【００４０】
この樹脂製足場マット１は、原材料に顔料を混ぜることによって、その物自体に色を付けることで、鉄筋との擦れ等で落ちる塗装とは異なり、使用頻度が高くても薄暗い工事現場の遠くからでも通路がどこにあるか明確に分かる。また、工事終了後のメンテナンスでの再塗装作業の省力化を図ることができる。
【００４１】
また、材料に樹脂を用いても所々に突起を設けたので、その突起が鉄筋の節若しくはリブに当たり樹脂製足場マット１が鉄筋に対して移動を阻止し、作業者の踏み付けでも靴の滑りをも防止することにより作業の安全性を確保することができる。
【００４２】
また、樹脂製足場マット１は、樹脂を使用したことにより、鉄と比べてコンクリートの付着が悪いので、コンクリート打設作業後のケレン作業の低減を図れるので、樹脂製足場マット１として優れている。そして、摩耗その他で使用不能となった場合にも再度溶かしてリサイクルが可能なので産業廃棄物にならず、地球環境の保全と作業環境の安全に配慮した樹脂製足場マット１が得られる。
【００４３】
また、樹脂製足場マット１は樹脂製なので、図６に示すように、、矩形枠２の表側にユーザー名５３を型により一体的に鋳込み入れられるので、大きな現場での多数の工事業者が樹脂製足場マット１の同一製品を持ち込んでも、所有者の識別が可能となる。また、業者毎に、樹脂製足場マット１の色を変えることで識別することも可能となるので、現場からの回収手間がよい。また、樹脂製足場マット１の矩形枠２の側面側には、図１０に示すように、製造年月を示す年マーク５４、月マーク５５及びユーザーマーク５６を入れることができる。
【００４４】
また、樹脂製足場マット１は、長手方向の一端に着脱可能な接続部３ｋを有する。この接続部３ｋは、一方の外側から内側に形成された図１８に示す接続凸部３ｋ１、図２１に示す接続凹部３ｋ２、図２０に示す接続凸部３ｋ３と、他方の外側から内側に形成された図１９に示す接続凹部３ｋ４、図２０に示す接続凸部３ｋ３、図２１に示す接続凹部３ｋ２とから構成される。
【００４５】
図１８に示す接続凸部３ｋ１は係合突起３ｋ１１を有し、図１９に示す接続凹部３ｋ４は係合孔部３ｋ４１を有し、この接続凸部３ｋ１と接続凹部３ｋ４は着脱可能に構成され、係合突起３ｋ１１が係合孔部３ｋ４１に係合して連結される。図２０に示す接続凸部３ｋ３は係合凸部３ｋ３１を有し、図２１に示す接続凹部３ｋ２は係合孔部３ｋ２１を有し、この接続凸部３ｋ３と接続凹部３ｋ２は着脱可能に構成され、係合凸部３ｋ３１が係合孔部３ｋ２１に係合して連結される。
【００４６】
この樹脂製足場マット１は、図２３に示すように、樹脂製足場マット１同士を、一方の接続部３ｋと他方の接続部３ｋとで、接続凸部３ｋ１と接続凹部３ｋ４とを挿着し、接続凸部３ｋ３と接続凹部３ｋ２とを挿着して連結する。
【００４７】
このように樹脂製足場マット１同士を工事現場などの状況に応じて使用可能であり、また接続部３ｋを長手方向の両端に設ければ、使用したい長さに接続が可能となり、敷き並べた間に隙間が生じなく、作業者がスムースに移動が可能であり、また分離して運搬、保管ができ、使用に便利である。
【００４８】
また、樹脂製足場マット１の各格子は、縦形の形状として、面の部分を持たないものとしたが、曲げ剛性を高めるために、表面の裏表に互い違いに長手方向に面を設定してもよい。
【００４９】
また、格子は、縦横格子と斜め格子の複合構造には限定されず、縦横格子のみ、若しくは斜め格子のみでもよい。
【００５０】
さらに、樹脂製足場マット１は、樹脂製の場合は、全体が０．５メートル×２メートルと大きいので、半分の大きさの０．５メートル×１メートルの金型として、２個を中心で接続して１枚ものとしてもよい。
【００５１】
また、樹脂製足場マット１は、デザイン的にも優れているので、工事現場では、簡易のフェンスとしても使用が可能である。また、工事現場以外でも、芝生用のマット、家庭用の玄関マット、園芸用のフェンス等、美観を求められるような場所に使われるマットやフェンスとしても使用が可能である。
【００５２】
【発明の効果】
前記したように、請求項１に記載の発明では、原材料自体に色づけをして一目でわかるようにしたから、鉄筋と擦れて摩耗しても薄暗い工事現場の中でも遠くから見て一目で設置位置がわかる。
【００５３】
また、塗装、再塗装作業等の省力化が可能で、また、樹脂を用いたので使用後は溶かして再使用が可能となるので、産業廃棄物にならなく地球環境にやさしい。
【００５４】
また、矩形板状の格子の複数の交点部の両面側に円形突起を、格子表面より突出して設けたから、樹脂とした場合でも突起がスラブ鉄筋に引っかかり、スラブ鉄筋との間で滑ることを簡単な構成で防止することができる。
【００６０】
請求項２に記載の発明では、樹脂製足場マット同士を連結し、工事現場などの状況に応じて接続して使用が可能であり、また分離して運搬、保管ができ、使用に便利である。
【図面の簡単な説明】
【図１】樹脂製足場マットの平面図である。
【図２】樹脂製足場マットの底面図である。
【図３】樹脂製足場マットの長手方向の側面図である。
【図４】樹脂製足場マットの幅方向の側面図である。
【図５】接続側の平面拡大図である。
【図６】非接続側の平面拡大図である。
【図７】接続側の底面拡大図である。
【図８】非接続側の底面拡大図である。
【図９】接続側の幅方向側面拡大図である。
【図１０】非接続側の幅方向側面拡大図である。
【図１１】図５のＡ−Ａ線に沿う断面図である。
【図１２】図６のＢ−Ｂ線に沿う断面図である。
【図１３】図６のＣ−Ｃ線に沿う断面図である。
【図１４】図５のＤ−Ｄ線に沿う断面図である。
【図１５】図５のＥ−Ｅ線に沿う断面図である。
【図１６】図５のＧ−Ｇ線に沿う断面図である。
【図１７】図５のＨ−Ｈ線に沿う断面である。
【図１８】図５のＫ−Ｋ線に沿う断面図である。
【図１９】図５のＬ−Ｌ線に沿う断面図である。
【図２０】図５のＭ−Ｍ線に沿う断面図である。
【図２１】図５のＮ−Ｎ線に沿う断面図である。
【図２２】格子の拡大図である。
【図２３】樹脂製足場マット同士を連結した状態を示す図である。
【図２４】樹脂製足場マットの使用状態を示す図である。
【符号の説明】
１  樹脂製足場マット
２  矩形枠
３  格子
３ａ  縦格子
３ｂ  横格子
３ｃ，３ｄ  斜め格子
３ｅ  網目
３ｆ  交点部
３ｇ  平面突起
３ｈ  円形突起
【図１】
0004548932.tif 000002
【図２】
0004548932.tif 000003
【図３】
0004548932.tif 000004
【図４】
0004548932.tif 000005
【図５】
0004548932.tif 000006
【図６】
0004548932.tif 000007
【図７】
0004548932.tif 000008
【図８】
0004548932.tif 000009
【図９】
0004548932.tif 000010
【図１０】
0004548932.tif 000011
【図１１】
0004548932.tif 000012
【図１２】
0004548932.tif 000013
【図１３】
0004548932.tif 000014
【図１４】
0004548932.tif 000015
【図１５】
0004548932.tif 000016
【図１６】
0004548932.tif 000017
【図１７】
0004548932.tif 000018
【図１８】
0004548932.tif 000019
【図１９】
0004548932.tif 000020
【図２０】
0004548932.tif 000021
【図２１】
0004548932.tif 000022
【図２２】
0004548932.tif 000023
【図２３】
0004548932.tif 000024
【図２４】
0004548932.tif 000025